(57)【要約】  本発明のセル識別子割当方法は、対象基地局に隣接する隣接基地局の各セルから対象セル内で受信した信号の受信電力または伝搬損失を測定する測定ステップと、隣接基地局の各セルの中から、受信電力が最も大きいまたは伝搬損失が最も小さい第１のセルを特定する特定ステップと、第１のセルとは同期信号の符号系列番号が異なり、かつ、隣接基地局の各セルに割り当てられていないセル識別子を対象セルに割り当てる割当ステップと、を有する。
2013077059.tif 000002
【特許請求の範囲】
【請求項１】
複数の基地局のうちの対象基地局の対象セルにセル識別子を割り当てるセル識別子割当方法であって、
前記対象基地局に隣接する隣接基地局の各セルから前記対象セル内で受信した信号の受信電力または伝搬損失を測定する測定ステップと、
前記隣接基地局の各セルの中から、受信電力が最も大きいまたは伝搬損失が最も小さい第１のセルを特定する特定ステップと、
前記第１のセルとは同期信号の符号系列番号が異なり、かつ、前記隣接基地局の各セルに割り当てられていないセル識別子を前記対象セルに割り当てる割当ステップと、を有するセル識別子割当方法。
【請求項２】
前記複数の基地局の各々は複数のセルを形成するものであり、
前記割当ステップでは、
前記第１のセルを形成している隣接基地局の複数のセルの中から、受信電力が最も小さいまたは伝搬損失が最も大きい第２のセルを特定し、
前記第２のセルと同期信号の符号系列番号が同一で、かつ、前記隣接基地局の各セルに割り当てられていないセル識別子を前記対象セルに割り当てる、請求項１に記載のセル識別子割当方法。
【請求項３】
前記複数の基地局の各々は複数のセルを形成するものであり、
前記特定ステップでは、
前記対象基地局の複数のセルを前記対象セルとする場合、各対象セルについて、前記第１のセルを特定し、
前記割当ステップでは、
前記対象基地局の複数のセルを前記対象セルとする場合、
各対象セルについて、前記第１のセルの受信電力が大きい順または伝搬損失が小さい順に高い優先度を付与し、
各対象セルについて、前記優先度が高い順に、前記第１のセルを形成している隣接基地局の複数のセルのうち他の対象セルとは同期信号の符号系列番号が異なるセルの中から、受信電力が最も小さいまたは伝搬損失が最も大きい第２のセルを特定し、
各対象セルについて、前記優先度が高い順に、前記第２のセルと同期信号の符号系列番号が同一で、かつ、前記隣接基地局の各セルに割り当てられていないセル識別子を割り当てる、請求項１に記載のセル識別子割当方法。
【請求項４】
前記測定ステップでは、
前記対象基地局とは異なる装置が、前記隣接基地局の各セルから前記対象セル内で信号を受信し、該受信した信号の受信電力または伝搬損失を測定する、請求項１から３のいずれか１項に記載のセル識別子割当方法。
【請求項５】
前記測定ステップでは、
前記対象基地局が、前記隣接基地局の各セルから前記対象セル内で信号を受信し、該受信した信号の受信電力または伝搬損失を測定する、請求項１から３のいずれか１項に記載のセル識別子割当方法。
【請求項６】
複数の基地局のうちの対象基地局の対象セルにセル識別子を割り当てるセル識別子割当方法であって、
前記対象基地局に隣接する隣接基地局の各セルの中から、前記対象セルに対する干渉が最も大きい第１のセルを特定する特定ステップと、
前記第１のセルとは同期信号の符号系列番号が異なり、かつ、前記隣接基地局の各セルに割り当てられていないセル識別子を前記対象セルに割り当てる割当ステップと、を有するセル識別子割当方法。
【請求項７】
自局の対象セルにセル識別子を割り当てる基地局であって、
自局に隣接する隣接基地局の各セルから前記対象セル内で受信した信号の受信電力または伝搬損失を測定する測定部と、
前記隣接基地局の各セルの中から、受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部と、を有する基地局。
【請求項８】
複数の基地局のうちの対象基地局の対象セルにセル識別子を割り当てる保守サーバであって、
前記対象基地局に隣接する隣接基地局の各セルの中から、当該セルから前記対象セル内で受信した信号の受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部を有する保守サーバ。
【請求項９】
複数の基地局を有し、該複数の基地局のうちの対象基地局の対象セルにセル識別子を割り当てる移動通信システムであって、
前記対象基地局に隣接する隣接基地局の各セルから前記対象セル内で受信した信号の受信電力または伝搬損失を測定する測定部と、
前記隣接基地局の各セルの中から、受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部と、を有する移動通信システム。
【発明の詳細な説明】
【技術分野】
【０００１】
本発明は、基地局のセルに対し、セル識別子を割り当てる技術に関する。
【背景技術】
【０００２】
ＬＴＥ（Long Term Evolution）の移動通信システムでは、基地局（ｅＮＢ：evolved Node B）のセル（Cell）に対してＰＣＩ（Physical Cell Identifier）と呼ばれるセル識別子を割り当てる。【０００３】
ここで、まず、ＰＣＩについて説明する（非特許文献１参照）。【０００４】
ＬＴＥのＰＣＩは、５０４のユニークな物理レイヤセル識別子（physical-layer cell-identity）である。物理レイヤセル識別子は、１６８のユニークな物理レイヤセル識別子グループ（physical-layer cell-identity group）にグループ化され、各グループは３つのユニークな識別子を含む。物理レイヤセル識別子は次のようにユニークに定義される。【０００５】
【数１】
2013077059.tif 000003
【０００６】
ここで、【０００７】
【数２】
2013077059.tif 000004
【０００８】
は、レンジが０〜１６７で、物理レイヤセル識別子グループに対応する。【０００９】
また、【００１０】
【数３】
2013077059.tif 000005
【００１１】
は、レンジが０〜２で、ある物理レイヤセル識別子グループ内の物理レイヤセル識別子に対応する。【００１２】
ここで、物理レイヤセル識別子グループ内の３つの異なる物理レイヤセル識別子、すなわち、【００１３】
【数４】
2013077059.tif 000006
【００１４】
は、ＰＳＳ（Primary Synchronization Signal、第１の同期信号）の符号系列番号（例えば、ＬＴＥで用いられるＺａｄｏｆｆ−ｃｈｕ系列）として使用される。【００１５】
次に、ＰＣＩの割当方法について説明する。【００１６】
ＬＴＥの移動通信システムでは、基地局毎に、その基地局に隣接する隣接基地局の各セルのＰＣＩ等が登録されるデータベースを備えている。このデータベースは、例えば、保守サーバに備えられている。【００１７】
対象基地局の対象セルにＰＣＩを割り当てる場合、対象セルに対しては、対象基地局に隣接する隣接基地局の各セルのＰＣＩとして割り当てられていないＰＣＩを割り当てる。【００１８】
次に、移動局が行うセルサーチについて説明する。【００１９】
基地局は、自局の各セルにおいて、そのセルに在圏する移動局に対し、そのセルに割り当てられたＰＣＩを報知信号に含めて送信している。【００２０】
移動局は、セルから受信したＰＣＩに含まれるＰＳＳを基に、そのセルからパイロット信号が送信される送信タイミングを判断する。【００２１】
続いて、移動局は、上記で判断した送信タイミングに従ってパイロット信号を受信し、受信したパイロット信号の受信電力を測定する。【００２２】
続いて、移動局は、上記で受信電力を測定したセルの中から、受信電力が最も高いセルを検索する。【００２３】
その後、移動局は、上記で検索したセルから送信された報知信号の中から、そのセルに接続するための設定情報を取得する。
【先行技術文献】
【非特許文献】
【００２４】
【非特許文献１】3GPP TS36.211 V9.1.0, 6.11節（2010-03）
【発明の概要】
【発明が解決しようとする課題】
【００２５】
上述したように、ＬＴＥの移動通信システムでは、対象基地局の対象セルにＰＣＩを割り当てる場合、対象セルに対し、対象基地局に隣接する隣接基地局の各セルのＰＣＩとして割り当てられていないＰＣＩを割り当てる。【００２６】
しかし、上述したように、ＰＣＩは、物理レイヤセル識別子グループ内の３つの異なる物理レイヤセル識別子をＰＳＳの符号系列番号として使用する構造である。【００２７】
そのため、対象セルに対して、隣接基地局のセルとは異なるＰＣＩであるものの、同一のＰＳＳの符号系列番号を割り当てる場合がある。【００２８】
その場合、同一のＰＳＳの符号系列番号が割り当てられたセル間では、ＰＳＳ同士の直交性が低くなるため、ＰＳＳの送信タイミングが重なった場合、ＰＳＳ同士の干渉が大きくなってしまう。【００２９】
そうすると、移動局では、セルサーチにおいて、隣接セルからＰＳＳによる大きな干渉を受けることになるため、セルサーチ特性が劣化してしまうという課題がある。【００３０】
そこで、本発明の目的は、上述した課題を解決することができるセル識別子割当方法、基地局、保守サーバ、移動通信システムを提供することにある。
【課題を解決するための手段】
【００３１】
本発明の第１のセル識別子割当方法は、
複数の基地局のうちの対象基地局の対象セルにセル識別子を割り当てるセル識別子割当方法であって、
前記対象基地局に隣接する隣接基地局の各セルから前記対象セル内で受信した信号の受信電力または伝搬損失を測定する測定ステップと、
前記隣接基地局の各セルの中から、受信電力が最も大きいまたは伝搬損失が最も小さい第１のセルを特定する特定ステップと、
前記第１のセルとは同期信号の符号系列番号が異なり、かつ、前記隣接基地局の各セルに割り当てられていないセル識別子を前記対象セルに割り当てる割当ステップと、を有する。【００３２】
本発明の第２のセル識別子割当方法は、
複数の基地局のうちの対象基地局の対象セルにセル識別子を割り当てるセル識別子割当方法であって、
前記対象基地局に隣接する隣接基地局の各セルの中から、前記対象セルに対する干渉が最も大きい第１のセルを特定する特定ステップと、
前記第１のセルとは同期信号の符号系列番号が異なり、かつ、前記隣接基地局の各セルに割り当てられていないセル識別子を前記対象セルに割り当てる割当ステップと、を有する。【００３３】
本発明の基地局は、
自局の対象セルにセル識別子を割り当てる基地局であって、
自局に隣接する隣接基地局の各セルから前記対象セル内で受信した信号の受信電力または伝搬損失を測定する測定部と、
前記隣接基地局の各セルの中から、受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部と、を有する。【００３４】
本発明の保守サーバは、
複数の基地局のうちの対象基地局の対象セルにセル識別子を割り当てる保守サーバであって、
前記対象基地局に隣接する隣接基地局の各セルの中から、当該セルから前記対象セル内で受信した信号の受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部を有する。【００３５】
本発明の移動通信システムは、
複数の基地局を有し、該複数の基地局のうちの対象基地局の対象セルにセル識別子を割り当てる移動通信システムであって、
自局に隣接する隣接基地局の各セルから前記対象セル内で受信した信号の受信電力または伝搬損失を測定する測定部と、
前記隣接基地局の各セルの中から、受信電力が最も大きいまたは伝搬損失が最も小さい第１のセルを特定し、前記第１のセルとは同期信号の符号系列番号が異なり、かつ、前記隣接基地局の各セルに割り当てられていないセル識別子を前記対象セルに割り当てる割当部と、を有する。
【発明の効果】
【００３６】
本発明によれば、対象基地局に隣接する隣接基地局の各セルの中から、受信電力が最も大きいまたは伝搬損失が最も小さい第１のセルを特定し、第１のセルとは同期信号の符号系列番号が異なり、かつ、隣接基地局の各セルに割り当てられていないセル識別子を対象セルに割り当てる。【００３７】
したがって、対象セルは、最も干渉が大きいと推定される隣接セルとの間では、同期信号同士の直交性が高くなり、その隣接セルからの干渉が低減されるため、移動局のセルサーチ特性の劣化を回避できるという効果が得られる。
【図面の簡単な説明】
【００３８】
【図１】本発明の第１〜第３の実施形態の移動通信システムの構成を示すブロック図である。
【図２】本発明の第１〜第３の実施形態の保守端末の動作を説明するフローチャートである。
【図３】本発明の第１の実施形態の保守サーバの動作を説明するフローチャートである。
【図４】本発明の第１〜第３の実施形態の基地局の動作を説明するフローチャートである。
【図５】本発明の第２の実施形態の保守サーバの動作を説明するフローチャートである。
【図６】本発明の第２の実施形態の移動通信システムの動作の具体例を説明するための図である。
【図７】本発明の第３の実施形態の保守サーバの動作を説明するフローチャートである。
【図８】本発明の第３の実施形態の移動通信システムの動作の具体例を説明するための図である。
【図９】本発明の第４の実施形態の移動通信システムの構成を示すブロック図である。
【発明を実施するための形態】
【００３９】
以下に、本発明を実施するための形態について図面を参照して説明する。
【００４０】
なお、以下では、本発明の移動通信システムを、ＬＴＥの移動通信システムに適用した場合を例に挙げて説明する。
（１）第１の実施形態
図１に示すように、本実施形態の移動通信システムは、ｎ（ｎは２以上の自然数）個の基地局（ｅＮＢ）（＃１〜＃ｎ）１０−１〜１０−ｎ（以下、どの基地局か特定しないときは基地局１０と称す）と、保守端末２０と、保守サーバ３０と、有している。なお、図１においては、本発明の特徴的な構成要素のみを示し、その他の構成要素は省略している。
【００４１】
基地局１０−１〜１０−ｎは、セルを形成し、セルに在圏する移動局（不図示）との間で信号の送受信を行う。
【００４２】
保守端末２０は、対象基地局１０の対象セルにＰＣＩを割り当てる場合、保守者により対象セルに移動させられて、対象基地局１０に隣接する隣接基地局１０の各セルから対象セル内で受信した信号（例えば、パイロット信号、報知信号等）の受信電力または伝搬損失を測定する。
【００４３】
保守サーバ３０は、対象基地局１０の対象セルにＰＣＩを割り当てる場合、保守端末２０による隣接基地局１０の受信電力または伝搬損失の測定結果に基づいて、対象セルにＰＣＩを割り当てる。この場合、対象基地局１０は、保守サーバ３０により割り当てられたＰＣＩを対象セルに設定し、対象セルに在圏する移動局にＰＣＩを送信する。
【００４４】
なお、保守サーバ３０は、基地局１０−１〜１０−ｎおよび保守端末２０と有線または無線のどちらで接続しても良く、その接続形態は限定されない。
【００４５】
ここで、基地局１０−１〜１０−ｎ、保守端末２０、および保守サーバ３０の各々の内部構成について説明する。
【００４６】
基地局１０−１は、アンテナ１１と、送信部１２と、制御部１３と、を有している。
【００４７】
アンテナ１１は、基地局１０−１が形成する各セル毎に設けられる。なお、図１では、複数のアンテナ１１を示しているが、アンテナ１１の数は１つでも良い。その場合、基地局１０−１は、１つのセル（オムニセル）を形成することになる。
【００４８】
送信部１２は、基地局１０−１の各セルに在圏する移動局に対し、そのセルに対応するアンテナ１１を介して信号（例えば、パイロット信号、報知信号等）を送信する。
【００４９】
制御部１３は、送信部１２から信号を送信するための制御を行う。例えば、制御部１３は、保守サーバ３０により基地局１０−１のセルに割り当てられたＰＣＩをそのセルに設定し、そのＰＣＩを報知信号に含めてそのセルに送信するよう制御する。
【００５０】
その他の基地局１０−２〜１０−ｎの構成は、基地局１０−１と同様である。
【００５１】
保守端末２０は、基地局ＤＢ（Data Base）２１と、アンテナ２２と、移動局受信部２３と、測定部２４と、を有している。
【００５２】
基地局ＤＢ２１は、基地局１０−１〜１０−ｎ毎に、その基地局１０に隣接する隣接基地局１０の各セルの基地局ＩＤ、セル番号（ＰＣＩとは異なる）、およびＰＣＩが登録されるデータベースである。
【００５３】
ここで、保守端末２０は、上述のように、対象基地局１０の対象セルにＰＣＩを割り当てる場合、保守者により対象セルに移動させられる。
【００５４】
この場合、保守端末２０は、対象セルに在圏する移動局と同様の振る舞いをして、対象基地局１０と対象基地局１０に隣接する隣接基地局１０の各セルから送信される信号（例えば、パイロット信号、報知信号等）を移動局受信部２３にて受信する。
【００５５】
測定部２４は、移動局受信部２３が受信した信号のうち、対象基地局１０に隣接する隣接基地局１０の各セルから受信した信号の受信電力または伝搬損失を測定する。なお、測定部２４は、伝搬損失を測定する場合、まず、報知信号に含まれる送信電力を抽出し、次に、受信信号の受信電力を測定し、送信電力と受信電力との差分を伝搬損失とする。
【００５６】
保守サーバ３０は、基地局ＤＢ３１と、割当部３２と、を有している。
【００５７】
基地局ＤＢ３１は、基地局ＤＢ２１と同様のデータベースである。
【００５８】
割当部３２は、対象基地局１０の対象セルにＰＣＩを割り当てる場合、対象基地局１０に隣接する隣接基地局１０の各セルの中から、保守端末２０による受信電力または伝搬損失の測定結果に基づいて、受信電力が最も大きいまたは伝搬損失が最も小さいセル（第１のセル。最も干渉が大きいセルと推定）を特定する。
【００５９】
そして、割当部３２は、上記で特定したセルとはＰＳＳの符号系列番号が異なり、かつ、隣接基地局１０の各セルに割り当てられていないＰＣＩを対象セルに割り当てる。
【００６０】
以下、本実施形態の移動通信システムにおいて、対象基地局１０の対象セルにＰＣＩを割り当てる場合の動作について説明する。なお、以下では、保守端末２０は受信電力を測定するものとする。
【００６１】
最初に、保守端末２０の動作について図２を参照して説明する。
【００６２】
図２に示すように、対象基地局１０の対象セルにＰＣＩを割り当てる場合、保守端末２０は、保守者により対象セルに移動させられると共に、保守者により対象基地局１０の基地局ＩＤと対象セルのセル番号とが測定部２４に設定される（ステップＡ１１）。
【００６３】
次に、測定部２４は、基地局ＤＢ２１を参照して、対象基地局１０に隣接する隣接基地局１０の各セルを確認し、移動局受信部２３が受信した信号のうち隣接基地局１０の各セルから受信した信号の受信電力を測定する（ステップＡ１２）。
【００６４】
その後、測定部２４は、対象基地局１０の基地局ＩＤと、対象セルのセル番号と、隣接基地局１０の各セルのセル番号および受信電力の測定結果と、を受信電力の測定情報として保守サーバ３０に出力する（ステップＡ１３）。
【００６５】
続いて、保守サーバ３０の動作について図３を参照して説明する。
【００６６】
図３に示すように、対象基地局１０の対象セルにＰＣＩを割り当てる場合、保守サーバ３０は、保守者により対象基地局１０の基地局ＩＤと対象セルのセル番号とが割当部３２に設定される（ステップＡ２１）。
【００６７】
この状態で、保守端末２０から受信電力の測定情報が入力されると（ステップＡ２２）、割当部３２は、基地局ＤＢ３１を参照して、対象基地局１０に隣接する隣接基地局１０の各セルを確認する。次に、割当部３２は、隣接基地局１０の各セルの中から、受信電力の測定情報に基づいて、受信電力が最も大きいセル（第１のセル。最も干渉が大きいセルと推定）を特定する（ステップＡ２３）。
【００６８】
次に、割当部３２は、基地局ＤＢ３１を参照して、ステップＡ２３で特定したセルに割り当てられたＰＳＳの符号系列番号を確認すると共に、隣接基地局１０の各セルに割り当てられたＰＣＩを確認する。次に、割当部３２は、ステップＡ２３で特定したセルとはＰＳＳの符号系列番号が異なり、かつ、隣接基地局１０の各セルに割り当てられていないＰＣＩを対象セルに割り当てる（ステップＡ２４）。
【００６９】
その後、割当部３２は、ステップＡ２４で対象セルに割り当てたＰＣＩと対象セルのセル番号とを対象基地局１０に出力する（ステップＡ２５）。
【００７０】
なお、ステップＡ２４で対象セルに割り当てたＰＣＩの基地局ＤＢ３１および基地局ＤＢ２１への登録は、ステップＡ２４以降の任意のタイミングで行えば良い。
【００７１】
続いて、基地局１０の動作について図４を参照して説明する。
【００７２】
図４に示すように、保守サーバ３０から、自局の対象セルに割り当てられたＰＣＩが入力されると（ステップＡ３１）、制御部１３は、そのＰＣＩを対象セルに設定する（ステップＡ３２）。
【００７３】
その後、送信部１２は、自局の対象セルに在圏する移動局に対し、対象セルに対応するアンテナ１１を介して、ＰＣＩを報知信号に含めて送信する（ステップＡ３３）。
【００７４】
上述したように本実施形態では、対象基地局１０に隣接する隣接基地局１０の各セルの中から、受信電力が最も大きいまたは伝搬損失が最も小さいセル（最も干渉が大きいセルと推定）を特定し、特定したセルとはＰＳＳの符号系列番号が異なり、かつ、隣接基地局１０の各セルに割り当てられていないＰＣＩを対象セルに割り当てる。
【００７５】
したがって、対象セルは、最も干渉が大きいと推定される隣接セルとの間では、ＰＳＳ同士の直交性が高くなり、その隣接セルからの干渉が低減されるため、移動局のセルサーチ特性の劣化を回避できるという効果が得られる。
（２）第２の実施形態
本実施形態は、第１の実施形態におけるＰＣＩの割当動作を、基地局１０−１〜１０−ｎが３つのセルを形成する３セル構成である場合における動作として具体化したものであり、移動通信システムの全体構成、基地局１０−１〜１０−ｎの動作、保守端末２０の動作については第１の実施形態と同様である。
【００７６】
そのため、以下では、保守サーバ３０の動作を中心に説明する。なお、以下では、保守端末２０は受信電力を測定するものとする。
【００７７】
図５に示すように、対象基地局１０の対象セルにＰＣＩを割り当てる場合、保守サーバ３０は、保守者により対象基地局１０の基地局ＩＤと対象セルのセル番号とが割当部３２に設定される（ステップＢ１）。
【００７８】
この状態で、保守端末２０から受信電力の測定情報が入力されると（ステップＢ２）、割当部３２は、基地局ＤＢ３１を参照して、対象基地局１０に隣接する隣接基地局１０の各セルを確認する。次に、割当部３２は、受信電力の測定情報に基づいて、隣接基地局１０の各セルの中から、受信電力が最も大きいセル（第１のセル。最も干渉が大きいセルと推定）を特定し、さらに、特定したセルを形成している隣接基地局１０（最も近傍にある隣接基地局１０と推定）を特定する（ステップＢ３）。
【００７９】
次に、割当部３２は、ステップＢ３で特定した隣接基地局１０が形成しているセルの中から、受信電力の測定情報に基づいて、受信電力が最も小さいセル（第２のセル。最も干渉が小さい指向性を持つセルと推定）を特定する（ステップＢ４）。
【００８０】
次に、割当部３２は、基地局ＤＢ３１を参照して、ステップＢ４で特定したセルに割り当てられたＰＳＳの符号系列番号を確認すると共に、隣接基地局１０の各セルに割り当てられたＰＣＩを確認する。次に、割当部３２は、ステップＢ４で特定したセルとＰＳＳの符号系列番号が同一で、かつ、隣接基地局１０の各セルに割り当てられていないＰＣＩを対象セルに割り当てる（ステップＢ５）。
【００８１】
その後、割当部３２は、ステップＢ５で対象セルに割り当てたＰＣＩと対象セルのセル番号とを対象基地局１０に出力する（ステップＢ６）。
【００８２】
続いて、本実施形態の移動通信システムの動作の具体例について図６を参照して説明する。なお、図６では、基地局（＃１）１０−１には基地局（＃２〜＃５）１０−２〜１０−５が隣接しているものとする。また、セルを表す正六角形内の文字列は、上から順に、「基地局ＩＤ（eNB＃と表記）」、「セル番号（Cell＃と表記）」、「ＰＣＩ」を表している（以下の図８において同じ）。
【００８３】
以下では、基地局（＃１）１０−１のセル＃１にＰＣＩを割り当てるものとする。
【００８４】
ステップｂ１：
まず、保守端末２０の測定部２４は、基地局（＃１）１０−１のセル＃１内で、基地局（＃２〜＃５）１０−２〜１０−５の各セルから受信した信号の受信電力を測定する。ここでは、測定結果が以下であったとする。
【００８５】
基地局（＃２）１０−２のセル＃４：−１１０ｄＢｍ
基地局（＃２）１０−２のセル＃５：−７９ｄＢｍ
基地局（＃２）１０−２のセル＃６：−８０ｄＢｍ
基地局（＃３）１０−３のセル＃７：−８０ｄＢｍ
基地局（＃３）１０−３のセル＃８：−９０ｄＢｍ
基地局（＃３）１０−３のセル＃９：−１００ｄＢｍ
基地局（＃４）１０−４のセル＃１０：−９０ｄＢｍ
基地局（＃４）１０−４のセル＃１１：−１００ｄＢｍ
基地局（＃４）１０−４のセル＃１２：−１００ｄＢｍ
基地局（＃５）１０−５のセル＃１３：−１１０ｄＢｍ
基地局（＃５）１０−５のセル＃１４：−１２０ｄＢｍ
基地局（＃５）１０−５のセル＃１５：−１２０ｄＢｍ
ステップｂ２：
次に、保守サーバ３０の割当部３２は、基地局（＃２〜＃５）１０−２〜１０−５の中から、受信電力が最も大きいセル＃５（−７９ｄＢｍ）を形成している基地局（＃２）１０−２を特定する。
【００８６】
ステップｂ３：
次に、保守サーバ３０の割当部３２は、基地局（＃２）１０−２の各セルの中から、受信電力が最も小さいセル＃４（−１１０ｄＢｍ、ＰＣＩ＃３（ｍｏｄ３（符号系列番号）が０））を特定する。
【００８７】
ステップｂ４：
その後、保守サーバ３０の割当部３２は、基地局（＃１）１０−１のセル＃１に対し、ｍｏｄ３が０で、かつ、基地局（＃２〜＃５）１０−２〜１０−５の各セルに割り当てられていない、ＰＣＩ＃０を割り当てる。
【００８８】
上述したように本実施形態では、対象基地局１０の対象セルにＰＣＩを割り当てる場合、対象基地局１０に隣接する隣接基地局１０の中から、受信電力が最も大きいまたは伝搬損失が最も小さいセル（最も干渉が大きいセルと推定）を形成している隣接基地局１０（最も近傍にある隣接基地局１０と推定）を特定し、特定した隣接基地局１０が形成しているセルの中から、受信電力が最も小さいまたは伝搬損失が最も大きいセル（最も干渉が小さい指向性を持つセルと推定）を特定し、特定したセルとＰＳＳの符号系列番号が同一で、かつ、隣接基地局１０の各セルに割り当てられていないＰＣＩを対象セルに割り当てる。
【００８９】
したがって、対象セルは、最も干渉が大きいと推定される隣接セルとの間では、ＰＳＳ同士の直交性が高くなり、その隣接セルからの干渉が低減されるため、移動局のセルサーチ特性の劣化を回避できるという効果が得られる。
（３）第３の実施形態
第２の実施形態は、同一の基地局１０が形成しているセル間で、同一のＰＳＳの符号系列番号が割り当てられる可能性がある。この場合、同一の基地局１０が形成しているセル間で、ＰＳＳ同士の干渉が大きくなってしまう。
【００９０】
そこで、本実施形態は、同一の基地局１０が形成している複数のセルにＰＣＩを割り当てる場合、受信電力が大きいまたは伝搬損失が小さいセルに優先してＰＣＩを割り当て、セル間でＰＳＳの符号系列番号が重複しないようにしている。
【００９１】
なお、本実施形態は、第１の実施形態におけるＰＣＩの割当動作を、基地局１０−１〜１０−ｎが３セル構成である場合における動作として具体化したものであり、移動通信システムの全体構成については第１の実施形態と同様である。
【００９２】
また、保守端末２０の動作も第１の実施形態と同様である。ただし、本実施形態の場合、保守端末２０は、対象基地局１０が形成する３つの対象セルに順次移動させられて、各対象セルにおける受信電力または伝搬損失の測定情報を保守サーバ３０に順次出力する。
【００９３】
また、基地局１０−１〜１０−ｎの動作も第１の実施形態と同様である。ただし、本実施形態の場合、基地局１０−１〜１０−ｎは、自局が対象基地局１０である場合、自局が形成する３つの対象セルの各々のＰＣＩが保守サーバ３０から入力されて、各ＰＣＩを各対象セルに設定し、各対象セルに在圏する移動局に各ＰＣＩを送信する。
【００９４】
そのため、以下では、保守サーバ３０の動作を中心に説明する。なお、以下では、保守端末２０は受信電力を測定するものとする。
【００９５】
図７に示すように、対象基地局１０が形成する３つのセルを、ＰＣＩを割り当てる対象セルとする場合、保守サーバ３０は、保守者により対象基地局１０の基地局ＩＤが割当部３２に設定される（ステップＣ１）。
【００９６】
この状態で、保守端末２０から受信電力の測定情報が入力されると（ステップＣ２）、割当部３２は、基地局ＤＢ３１を参照して、対象基地局１０の各対象セルを確認すると共と、対象基地局１０に隣接する隣接基地局１０の各セルを確認し、対象基地局１０の各対象セルの中から測定情報が入力された対象セルを選択する（ステップＣ３）。
【００９７】
次に、割当部３２は、ステップＣ３で選択した対象セルについて、受信電力の測定情報に基づいて、隣接基地局１０の各セルの中から、受信電力が最も大きいセル（第１のセル。最も干渉が大きいセルと推定）を特定する（ステップＣ４）。
【００９８】
次に、割当部３２は、対象基地局１０の全ての対象セルについて、ステップＣ４を実施し、受信電力が最も大きいセルを特定したか否かを判断する（ステップＣ５）。
【００９９】
ステップＣ５において、ステップＣ４を未実施の対象セルがあれば、未実施の対象セルの測定情報がステップＣ２で新たに入力されるまで待機し（ステップＣ６）、ステップＣ４を全ての対象セルについて実施していれば、ステップＣ７に移行する。
【０１００】
ステップＣ７において、割当部３２は、対象基地局１０の各対象セルについて、ステップＣ４で特定したセルの受信電力が大きい順に高い優先度を付与する。
【０１０１】
次に、割当部３２は、対象基地局１０の各対象セルの中から、優先度が最も高い対象セルを選択し（ステップＣ８）、選択した対象セルについて、ステップＣ４で特定したセルを形成している隣接基地局１０（最も近傍にある隣接基地局１０と推定）を特定する（ステップＣ９）。
【０１０２】
次に、割当部３２は、ステップＣ９で特定した隣接基地局１０が形成しているセルのうち、他の対象セルとはＰＳＳの符号系列番号が異なるセルの中から、受信電力の測定情報に基づいて、受信電力が最も小さいセル（第２のセル。最も干渉が小さい指向性を持つセルと推定）を特定する（ステップＣ１０）。なお、ステップＣ１０では、優先度が最も高い対象セルの場合、その時点で他の対象セルには何らのＰＣＩも割り当てていないため、ＰＳＳは考慮せず、隣接基地局１０が形成しているセルの中から受信電力が最も小さいセルを特定することになる。
【０１０３】
次に、割当部３２は、基地局ＤＢ３１を参照して、ステップＣ１０で特定したセルに割り当てられたＰＳＳの符号系列番号を確認すると共に、隣接基地局１０の各セルに割り当てられたＰＣＩを確認する。次に、割当部３２は、ステップＣ１０で特定したセルとＰＳＳの符号系列番号が同一で、かつ、隣接基地局１０の各セルに割り当てられていないＰＣＩを対象セルに割り当てる（ステップＣ１１）。
【０１０４】
次に、割当部３２は、対象基地局１０の全ての対象セルについて、ステップＣ１１を実施し、ＰＣＩを割り当てたか否かを判断する（ステップＣ１２）。
【０１０５】
ステップＣ１２において、ステップＣ１１を未実施の対象セルがあれば、未実施の対象セルで次に優先度が高い対象セルを選択した上で（ステップＣ６）、ステップＣ９に戻り、ステップＣ１１を全ての対象セルについて実施していれば、ステップＣ１４に移行する。
【０１０６】
その後、ステップＣ１４において、割当部３２は、対象基地局１０の各対象セルにステップＣ１１で割り当てたＰＣＩと各対象セルのセル番号とを対象基地局１０に出力する。
【０１０７】
続いて、本実施形態の移動通信システムの動作の具体例について図８を参照して説明する。
【０１０８】
以下では、基地局（＃１）１０−１の各セル＃１〜＃３にＰＣＩを割り当てるものとする。
【０１０９】
ステップｃ１：
まず、保守端末２０の測定部２４は、基地局（＃１）１０−１のセル＃１，＃２，＃３内のそれぞれで、基地局（＃２〜＃５）１０−２〜１０−５の各セルから受信した信号の受信電力を測定する。
【０１１０】
ステップｃ２：
次に、保守サーバ３０の割当部３２は、各セル＃１，＃２，＃３について、受信電力が最も大きいセルを特定する。ここでは、以下のように特定されたとする。
【０１１１】
セル＃１：基地局（＃２）１０−２のセル＃５（ＰＣＩ＃４），−７９ｄＢｍ
セル＃２：基地局（＃４）１０−４のセル＃１０（ＰＣＩ＃９），−９０ｄＢｍ
セル＃３：基地局（＃５）１０−５のセル＃１３（ＰＣＩ＃１２），−８５ｄＢｍ
ステップｃ３：
次に、保守サーバ３０の割当部３２は、各セル＃１，＃２，＃３について、ステップｃ２で特定したセルの受信電力が大きい順に高い優先度を付与する。ここでは、以下の順に高い優先度が付与されたとする。
【０１１２】
セル＃１＞セル＃３＞セル＃２
ステップｃ４：
その後、保守サーバ３０の割当部３２は、各セル＃１，＃２，＃３について、優先度が高い順にＰＣＩを割り当てる。
【０１１３】
ステップｃ４−（１）：
まず、割当部３２は、セル＃１について、ステップｃ２で特定したセル＃５を形成している基地局（＃２）１０−２の各セルの中から、受信電力が最も小さいセルを特定する。ここでは、以下のように特定されたとする。
【０１１４】
基地局（＃２）１０−２のセル＃４，−１１０ｄＢｍ，ＰＣＩ＃３（ｍｏｄが３）
そのため、割当部３２は、基地局（＃１）１０−１のセル＃１に対し、ｍｏｄ３が０で、かつ、基地局（＃２〜＃５）１０−２〜１０−５の各セルに割り当てられていない、ＰＣＩ＃０を割り当てる。
【０１１５】
ステップｃ４−（２）：
次に、割当部３２は、セル＃３について、ステップｃ２で特定したセル＃１３を形成している基地局（＃５）１０−５の各セルのうち、ｍｏｄ３として０以外が割り当てられたセルの中から、受信電力が最も小さいセルを特定する。ここでは、以下のように特定されたとする。
【０１１６】
基地局（＃５）１０−５のセル＃１４，−１２０ｄＢｍ，ＰＣＩ＃１３（ｍｏｄが１）
そのため、割当部３２は、基地局（＃１）１０−１のセル＃３に対し、ｍｏｄ３が１で、かつ、基地局（＃２〜＃５）１０−２〜１０−５の各セルに割り当てられていない、ＰＣＩ＃１５を割り当てる。
【０１１７】
ステップｃ４−（３）：
次に、割当部３２は、セル＃２について、ステップｃ２で特定したセル＃１０を形成している基地局（＃４）１０−４の各セルのうち、ｍｏｄ３として０と１以外（すなわち、２）が割り当てられたセルの中から、受信電力が最も小さいセルを特定する。ここでは、以下のように特定されたとする。
【０１１８】
基地局（＃４）１０−４のセル＃１１，−１２４ｄＢｍ，ＰＣＩ＃１０（ｍｏｄが２）
そのため、割当部３２は、基地局（＃１）１０−１のセル＃２に対し、ｍｏｄ３が２で、かつ、基地局（＃２〜＃５）１０−２〜１０−５の各セルに割り当てられていない、ＰＣＩ＃１６を割り当てる。
【０１１９】
上述したように本実施形態では、対象基地局１０が形成している複数の対象セルにＰＣＩを割り当てる場合、受信電力が大きいまたは伝搬損失が小さいセルに優先してＰＣＩを割り当て、セル間でＰＳＳの符号系列番号が重複しないようにしている。
【０１２０】
そのため、同一の基地局１０が形成しているセル間で、ＰＳＳの符号系列番号が重複し、ＰＳＳ同士の干渉が大きくなることを回避できるという効果が得られる。
【０１２１】
その他の効果は、第１および第２の実施形態と同様である。
（４）第４の実施形態
図９に示すように、本実施形態の移動通信システムは、第１〜第３の実施形態と比較して、保守端末２０および保守サーバ３０の機能を基地局１０−１〜１０−ｎに備えさせ、保守端末２０および保守サーバ３０を削除した点が異なる。
【０１２２】
すなわち、基地局１０−１には、保守端末２０に設けられていたアンテナ２２、移動局受信部２３、および測定部２４に対応する、アンテナ１５、移動局受信部１６、および測定部１７が追加されている。また、基地局１０−１には、保守端末２０に設けられていた基地局ＤＢ２１および保守サーバ３０に設けられていた基地局ＤＢ３１に対応する基地局ＤＢ１４が追加されている。また、基地局１０−１には、保守サーバ３０に設けられていた割当部３２に対応する割当部１８が、制御部１３の内部に追加されている。
【０１２３】
その他の基地局１０−２〜１０−ｎの構成は、基地局１０−１と同様である。
【０１２４】
本実施形態は、第１〜第３の実施形態と比較して、保守端末２０および保守サーバ３０の機能を基地局１０−１〜１０−ｎに備えさせた点のみが異なり、基本的な動作は同様であるため、動作についての説明は省略する。
【０１２５】
上述したように本実施形態では、基地局１０−１〜１０−ｎは、自局に隣接する隣接基地局１０の各セルからの受信電力または伝搬損失を測定し、自局の各セルにＰＣＩを割り当てる。そのため、基地局１０−１〜１０−ｎを、ＳＯＮ（Self Organizing Network）として機能させることができるという効果が得られる。
【０１２６】
その他の効果は、第１〜第３の実施形態と同様である。
【０１２７】
以上、実施形態を参照して本発明を説明したが、本発明は上記実施形態に限定されるものではない。本発明の構成や詳細には、本発明の範囲内で当業者が理解し得る様々な変更をすることができる。
【０１２８】
例えば、上記実施形態では、同期信号としてＰＳＳを用いる例について説明したが、ＰＳＳ以外の同期信号を用いても良い。
【０１２９】
具体的には、対象セルに対し、干渉が最も大きいと推定される隣接セルとはＳＳＳ（Secondary Synchronization Signal、第２の同期信号）の符号系列番号（例えば、Ｇｏｌｄ系列）を異ならせ、その隣接セルとの間のＳＳＳ同士の直交性を高くすることでも、その隣接セルからの干渉を十分に低減することが可能である。
【０１３０】
また、上記第２および第３の実施形態では、基地局１０−１〜１０−ｎが３セル構成である例について説明したが、基地局１０−１〜１０−ｎが形成するセル数はこれに限られない。
【０１３１】
本出願は、２０１１年１１月２５日に出願された日本出願特願２０１１−２５７６１４を基礎とする優先権を主張し、その開示の全てをここに取り込む。
【図１】
2013077059.tif 000007
【図２】
2013077059.tif 000008
【図３】
2013077059.tif 000009
【図４】
2013077059.tif 000010
【図５】
2013077059.tif 000011
【図６】
2013077059.tif 000012
【図７】
2013077059.tif 000013
【図８】
2013077059.tif 000014
【図９】
2013077059.tif 000015
【国際調査報告】
2013077059.tif 000016
2013077059.tif 000017